(57)【特許請求の範囲】
【請求項１】
通信線の周囲の被覆にテンションメンバー線と切裂紐が埋設された光ケーブルの前記被覆の一部を剥ぎ取って、前記切裂紐を露呈させる光ケーブル皮剥ぎ工具において、
頂壁、側壁、底壁を有する横断面コ字状の工具本体と、
工具本体の頂壁に設けられ、光ケーブルの軸線方向に沿って工具本体を移動させることに伴って、被覆の一部を剥ぎ取り切裂紐を露呈させるカンナ刃と、
工具本体の頂壁と、底壁との間に側壁に沿って配置されて、光ケーブルを頂壁との間で保持する横断面略Ｖ字状の保持溝を有するケーブル保持体と、
ケーブル保持体と工具本体の底壁との間に配され、ケーブル保持体を安定支持の基に、光ケーブルを工具本体の頂壁およびカンナ刃に向けて弾性的に押し当てるための付勢手段とを有し、
工具本体の側壁の開口がなすガイド部と、ケーブル保持体から延びて前記ガイド部に側壁の内側から挿入されるガイド凸部とからなり、ケーブル保持体の光ケーブルの軸線方向の移動を拘束すると共にカンナ刃に向けての離接方向の移動を自在とするガイド部を設け、
ケーブル保持体のガイド凸部とは反対の側に、工具本体外に張り出し、ケーブル保持体を付勢手段に抗して頂壁から引き離すように操作する張り出し片を設け、
頂壁および底壁の側壁からの張り出し縁を波状に形成した把持部とした
ことを特徴とする光ケーブル皮剥ぎ工具。
【請求項２】
付勢手段は、底壁側が大径で、ケーブル保持体側が小径となる円錐ばねである請求項１記載の光ケーブル皮剥ぎ工具。
【発明の詳細な説明】
【技術分野】
【０００１】
本発明は、通信線の周囲の被覆にテンションメンバー線と切裂紐が埋設された光ケーブルの前記被覆の一部を剥ぎ取って、前記切裂紐を露呈させる光ケーブル皮剥ぎ工具に関するものである。
【背景技術】
【０００２】
従来より、通信線をゴム等で被覆した光ケーブルは、その端末部分あるいは中間部分で相互接続するために被覆を剥ぎ取って通信線を露出させる作業が伴う。被覆を剥ぎ取る作業は光ケーブルの直径が大きくなるほど困難であり、通信線を傷つけることなく剥ぎ取る必要がある。光ケーブルの直径及び被覆の厚さ毎に専用の皮剥ぎ工具が用意されるのが一般的である。しかし、光ケーブルの種類ごとに１つの皮剥ぎ工具が必要となるため、複数種類の光ケーブルを皮剥ぎ作業を行うためにには、複数種類の皮剥ぎ工具が必要となり、光ケーブルの種類毎に皮剥ぎ工具を対応させる不都合があった。１つの皮剥ぎ工具で複数種類の光ケーブルに皮剥ぎ作業に対応できるものが望まれ、図８に示すような複数種類の光ケーブルに対応できる皮剥ぎ工具が開発されている。
【０００３】
図８は、複数種類の光ケーブル４１に対応する皮剥ぎ工具を示すもので、通信線を被覆した光ケーブル４１のＸ軸方向直径の一方面に当接するＸ軸方向支持板３０と、光ケーブル４１のＸ方向と直交するＹ軸方向直径の一方面に弾性付勢された状態で当接するＹ軸方向弾性支持板３１と、Ｘ軸方向に進退移動する進退軸３２と、この進退軸３２の進出移動により光ケーブル４１のＸ軸方向直径の他方面に弾性付勢された状態で当接するＸ軸方向弾性支持板３３と、光ケーブル４１のＹ軸方向直径の他方面に当接するＹ軸方向支持板３４と、進退軸３２の進出移動により光ケーブル４１のＸ軸方向から偏心させた方向で被覆の厚さ以下の位置に刃先を進出させるように構成された皮剥ぎ刃３５を備えている。そして、この皮剥ぎ工具は、光ケーブル４１を２方向から弾性挟持し、挟持時に皮剥ぎ刃３５が被覆に接線方向から進入し、光ケーブル４１の回りに回転させると、皮剥ぎ刃３５の円弧状刃先により被覆が螺旋状に剥ぎ取られるため、光ケーブル４１の通信線を傷つけることなく安定して被覆を剥ぎ取ることができるものである（特許文献１参照。）。
【特許文献１】特開２００４−７９４２９号公報
【発明の開示】
【発明が解決しようとする課題】
【０００４】
しかしながら、上記従来技術に係る皮剥ぎ工具では、これを回転させつつ光ケーブルから被覆を剥ぎ取るものであるため、テンションメンバー線と切裂紐が被覆に埋設された光ケーブル用の皮剥ぎに適用できなかった。また、光ケーブルを皮剥ぎ工具にセットする際に、Ｙ軸方向弾性支持板３１を退避させる必要があり、その作業が煩雑であった。また、従来の皮剥ぎ工具は、構成が複雑で部品点数が多く、コスト高であった。
【０００５】
本発明は、上記問題点に鑑み、テンションメンバー線と切裂紐が被覆に埋設された光ケーブルの皮剥ぎに適用できると共に各種径の光ケーブルを容易にセットができ、光ケーブルの長手方向に直線に移動させるだけ、通信線を傷つけることなく被覆の一部を剥ぎ取って、切裂紐を被覆させることのできる皮剥ぎ工具を低コストで提供することを目的とする。
【課題を解決するための手段】
【０００６】
本発明は上記目的を達成するため、通信線の周囲の被覆にテンションメンバー線と切裂紐が埋設された光ケーブルの前記被覆の一部を剥ぎ取って、前記切裂紐を露呈させる光ケーブル皮剥ぎ工具において、頂壁、側壁、底壁を有する横断面コ字状の工具本体と、工具本体の頂壁に設けられ、光ケーブルの軸線方向に沿って工具本体を移動させることに伴って、被覆の一部を剥ぎ取り切裂紐を露呈させるカンナ刃と、工具本体の頂壁と、底壁との間に側壁に沿って配置されて、光ケーブルを頂壁との間で保持する横断面略Ｖ字状の保持溝を有するケーブル保持体と、ケーブル保持体と工具本体の底壁との間に配され、ケーブル保持体を安定支持の基に、光ケーブルを工具本体の頂壁およびカンナ刃に向けて弾性的に押し当てるための付勢手段とを有し、工具本体の側壁の開口がなすガイド部と、ケーブル保持体から延びて前記ガイド部に側壁の内側から挿入されるガイド凸部とからなり、ケーブル保持体の光ケーブルの軸線方向の移動を拘束すると共にカンナ刃に向けての離接方向の移動を自在とするガイド部を設け、ケーブル保持体のガイド凸部とは反対の側に、工具本体外に張り出し、ケーブル保持体を付勢手段に抗して頂壁から引き離すように操作する張り出し片を設け、頂壁および底壁の側壁からの張り出し縁を波状に形成した把持部としたことを特徴とする。
【０００７】
本発明によれば、光ケーブルを工具本体の頂壁とケーブル保持体との隙間から挿入し工具本体内にセットする。このとき光ケーブルは、付勢手段によりケーブル保持体を介してカンナ刃に押し当てられる。そして、工具本体を光ケーブルの軸心方向に直線に移動させると、カンナ刃により光ケーブルの被覆の一部を剥ぎ取って、光ケーブルの切裂紐を露呈させることができる。
【発明の効果】
【０００８】
本発明によれば、光ケーブルを容易にセットができ、光ケーブルの長手方向に直線に移動させるだけ、通信線を傷つけることなく被覆の一部を剥ぎ取り、切裂紐を露呈させることのできる皮剥ぎ工具を低コストで提供することができる。
【発明を実施するための最良の形態】
【０００９】
以下に本発明の実施形態を図１〜図７に基づいて詳細に説明する。
【００１０】
本実施形態の光ケーブル皮剥ぎ工具１は、図６に示すように、通信線２の周囲の被覆３にテンションメンバー線４と切裂紐５が埋設された光ケーブル６の前記被覆３の一部を剥ぎ取って、前記切裂紐５を露呈させるものであって、光ケーブル６の被覆３を剥ぎ取るカンナ刃７と、光ケーブル６をカンナ刃７に向けて弾性的に押し当てるケーブル保持体８と、ケーブル保持体８をカンナ刃７に向けて弾性的に押し当てるための付勢手段９と、これらを備える横断面コ字状の工具本体１０とから構成されている。
【００１１】
前記光ケーブル６は、図６に示すように、複数の通信ケーブル１１を束ねた通信線２の周囲に保護用の被覆３を設け、さらにこの被覆３内に、光ケーブル６の張力や機械的強度を向上させるための一対のテンションメンバー線４と、被覆３を切裂くための一対の切裂紐５を埋設している。これらテンションメンバー線４と切裂紐５とは、円周方向に９０°の間隔をおいて交互に配されている。なお、光ケーブル６の断面形状は略円形に形成されており、テンションメンバー線４が埋設された部位において若干厚く被覆３されている。これにより光ケーブル６の外観から厚肉部１２にはテンションメンバー線４の埋設位置と容易に確認することができ、また薄肉部１３には切裂紐５の埋設位置と確認することができる。
【００１２】
前記カンナ刃７は、金属製の平板刃であって、図７に示すように、光ケーブル皮剥ぎ工具１を光ケーブル６の軸線方向に沿って移動することにより前記被覆３の一部を剥ぎ取ることができる。なおカンナ刃７には、刃の進出位置を調整するための長孔１４（図３参照。）が設けられている。
【００１３】
前記ケーブル保持体８は、図６に示すように、光ケーブル６をカンナ刃７に向け弾性的に押し当てて、光ケーブル６を所定位置に保持するものである。ケーブル保持体８には、光ケーブル６を確実に保持するために、その軸線方向に延びる横断面略Ｖ字状の保持溝１５が形成されている。また側部には、光ケーブル挿脱用の張出片１６と、ガイド凸部１７とが側方に突出するように形成されており、底部には付勢手段９の上部を保持するための係合突部１８が形成されている。
【００１４】
前記付勢手段９は、前記ケーブル保持体８をカンナ刃７に向けて弾性的に押し当てるために、光ケーブル６の軸線方向に沿って配されたコイルバネであり、光ケーブル６の軸線方向に沿って工具本体１０に複数本（図示例では３本）配されている。
【００１５】
前記工具本体１０は頂壁５１、側壁５２、底壁５３を有する横断面コ字状に形成され、頂壁５１にはカンナ刃７を取り付けるためのカンナ刃取付部１９が設けられている。前記側壁５２には光ケーブル６の軸線方向におけるケーブル保持体８の移動を拘束すると共に、ケーブル保持体８のカンナ刃７に向けての離接方向の移動を自在にしてケーブル保持体８を案内支持するガイド部２０が設けられている。また前記底壁５３は付勢手段９のケーブル保持体８に当接する側とは反対の側においてこれらを支持する付勢手段支持部２２を備えている。
【００１６】
カンナ刃取付部１９は、図３に示すように、カンナ刃７を所定の傾斜角度に固定させるための傾斜部２３と、取付ネジ２４と、傾斜部２３に形成された取付ネジ孔２５と、被覆排出孔２６から構成されている。カンナ刃７を傾斜部２３に配し、カンナ刃７を工具本体１０内に所定長さ出した状態で、取付ネジ２４をカンナ刃７の長孔１４を介して取付ネジ孔２５に螺合することにより固定する。この取付ネジ２４とカンナ刃７に形成された長孔１４により、位置調整が可能となり、被覆３を剥ぎ取る量を調整することができる。
【００１７】
ガイド部２０は、図２、図５に示すように、ケーブル保持体８のガイド凸部１７と、これを挿入するために工具本体１０の側壁５２に形成されたガイド孔部２７とから構成されている。これにより光ケーブル６の軸線方向におけるケーブル保持体８の移動を拘束すると共に、ケーブル保持体８のカンナ刃７に向けての離接方向の移動を自在にしてケーブル保持体８を案内支持することができる。
【００１８】
前記側壁５２の内側面２１は、皮剥ぎ作業時に図６に示すように、光ケーブル６に接することにより、前記保持溝１５と共働して光ケーブル６の左右方向の位置を規制することができる。
【００１９】
付勢手段支持部２２は、付勢手段９を保持するためのものであって、工具本体１０に３箇所有している。
【００２０】
そして、工具本体１０の頂壁５１と、前記ケーブル保持体８との間に形成される隙間Ａ（図５参照。）を前記張出片１６を押し下げて拡大することにより光ケーブル６を工具本体１０内に対し挿脱しうるように構成されている。また工具本体１０の頂壁５１および底壁５３には、図１、図４に示すように、光ケーブル６の軸線方向に波形状の把持部２８が形成されているため、光ケーブル６に対して工具本体１０を移動させることが容易となり、皮剥ぎ作業を容易に行うことができる。
【００２１】
次に、本実施形態の光ケーブル皮剥ぎ工具１の動作について説明する。
【００２２】
まず、ケーブル保持体８に形成された張出片１６を付勢手段９に抗して押し下げる。そして工具本体１０の頂壁５１と前記ケーブル保持体８との間に形成される隙間Ａが押し広げられた状態で、光ケーブル６の薄肉部１３（切裂紐５埋設位置）がカンナ刃７に向くようにして、これをケーブル保持体８に形成された保持溝１５にセットする（図６参照）。すると付勢手段９によりケーブル保持体８が前記光ケーブル６をカンナ刃７に向け弾性的に押し当てるようにして保持する。この状態で、図７に示すように、光ケーブル皮剥ぎ工具１の把持部２８を握りながら、これを光ケーブル６の軸心方向に直線に移動させると、カンナ刃７により光ケーブル６の被覆３を剥ぎ取ってカンナ刃取付部１９に形成された被覆排出孔２６から帯状の被覆３を排出させながら、光ケーブル６の切裂紐５を露呈させる。なおこのとき、光ケーブル６は、前記保持溝１５と頂壁５１とによって左右方向の動きを拘束されているが、これに加え光ケーブル６を前記側壁５２の内側面２１に接するように作業すると、光ケーブル６が左右方向のずれをより一層拘束できる。また、ケーブル保持体８は、ガイド部（ケーブル保持体８のガイド凸部１７と工具本体１０のガイド孔部２７）２０により案内支持されるため、より確実安定に皮剥ぎ作業を行うことができる。
【００２３】
そして、皮剥ぎが済むと、ケーブル保持体８の挿脱片１６を押し下げ、拡大された前記隙間Ａより光ケーブル６が取り出されるようにすることにより作業を終える。
【産業上の利用可能性】
【００２４】
本発明は、通信線の周囲の被覆にテンションメンバー線と切裂紐が埋設された光ケーブルの前記被覆の一部を剥ぎ取って、前記切裂紐を露呈させる光ケーブル皮剥ぎ工具に適用できるもので、産業上の有用なものである。
【図面の簡単な説明】
【００２５】
【図１】本発明の実施形態に係る光ケーブル皮剥ぎ工具を示す斜視図である。
【図２】本実施形態に係る光ケーブル皮剥ぎ工具を示す背面から見た斜視図である。
【図３】本実施形態に係る光ケーブル皮剥ぎ工具を示す正面図である。
【図４】本実施形態に係る光ケーブル皮剥ぎ工具を示す平面図である。
【図５】本実施形態に係る光ケーブル皮剥ぎ工具を示す側面図である。
【図６】本実施形態に係る光ケーブル皮剥ぎ工具を示し、光ケーブルを挿入した状態の側面図である。
【図７】本実施形態に係る光ケーブル皮剥ぎ工具を示し、皮剥ぎ作業の説明図である。
【図８】従来例を示す作用説明図である。
【符号の説明】
【００２６】
１  光ケーブル皮剥ぎ工具
２  通信線
３  被覆
４  テンションメンバー線
５  切裂紐
６  光ケーブル
７  カンナ刃
８  ケーブル保持体
９  付勢手段
１０  工具本体
１５  保持溝
１９  カンナ刃取付部
２０  ガイド部
２１  側壁の内側面
５１  頂壁
５２  側壁
５３  底壁
Ａ  隙間
【図１】
0004691463.tif 000002
【図２】
0004691463.tif 000003
【図３】
0004691463.tif 000004
【図４】
0004691463.tif 000005
【図５】
0004691463.tif 000006
【図６】
0004691463.tif 000007
【図７】
0004691463.tif 000008
【図８】
0004691463.tif 000009